(57)【特許請求の範囲】
【請求項１】
照射対象看板が設置される看板設置領域を開口した筺体と、
前記筺体の前記看板設置領域の鉛直上端側に設けられ、前記鉛直上端側から下向きに光を発するＬＥＤ光源と、
前記看板設置領域と対向する状態で前記筺体内に配置されるとともに、前記看板設置領域の前記鉛直上端側から鉛直下端側まで一様に平面状に形成され、前記ＬＥＤ光源が発した光の少なくとも一部を前記看板設置領域に向けて反射する反射面を形成する反射板と、
を備え、
前記反射板は、前記反射面と前記看板設置領域との対向距離が前記看板設置領域の前記鉛直上端側から前記鉛直下端側に向けて徐々に近くなるように斜めに傾けて配置されることにより、前記筺体の内部で且つ前記反射板を挟んで前記ＬＥＤ光源と対向する鉛直下側に、前記ＬＥＤ光源の交換に用いる物品を載置可能な収納空間を形成し、
前記反射板は、前記筺体または前記ＬＥＤ光源に連結され、前記ＬＥＤ光源に対して回動可能である
ことを特徴とする看板用照明装置。
【請求項２】
前記ＬＥＤ光源は、
第１のＬＥＤ素子と、
前記第１のＬＥＤ素子よりも前記看板設置領域から遠い側に配置された第２のＬＥＤ素子と、
を少なくとも含み、
前記第１のＬＥＤ素子は、前記第２のＬＥＤ素子よりも強い指向性を有することを特徴とする請求項１に記載の看板用照明装置。
【請求項３】
前記第１のＬＥＤ素子および前記第２のＬＥＤ素子は、それぞれ集光レンズを有し、当該集光レンズを通して光を出射するものであり、
前記第１のＬＥＤ素子が有する前記集光レンズの光放射角度は、前記第２のＬＥＤ素子が有する前記集光レンズの光放射角度よりも狭いことを特徴とする請求項２に記載の看板用照明装置。
【発明の詳細な説明】
【技術分野】
【０００１】
本発明は、広告看板などの看板用照明装置に関する。
【背景技術】
【０００２】
これまで、看板の裏面側から光を照射する看板用照明装置（いわゆる内照式看板用照明装置）では、看板の裏面側に対向する位置に複数の蛍光灯を設ける方法が用いられてきた。しかしながら、蛍光灯の輝度は小さいため、看板全体に対応するように多くの蛍光灯を配置しなければ、看板全体を均一に照明することができず、多くの消費電力を必要としていた。
【０００３】
近年では、蛍光灯ではなく、ＬＥＤ（Ｌｉｇｈｔ  Ｅｍｉｔｔｉｎｇ  Ｄｉｏｄｅ）光源と反射板とを用いた看板用照明装置が開示されている（例えば、特許文献１〜３参照）。
【先行技術文献】
【特許文献】
【０００４】
【特許文献１】特開２００２−１７５０３１号公報
【特許文献２】特開２００２−２５１９０３号公報
【特許文献３】特開２００９−２２３０６９号公報
【発明の概要】
【発明が解決しようとする課題】
【０００５】
ここで、広告等の看板用照明装置では、看板用照明装置が故障などにより一時的に非点灯となった場合に、看板用照明装置の非点灯期間に応じて広告主に違約金を支払うことが契約で定められていることがある。蛍光灯の看板用照明装置では、蛍光灯の寿命が短いため、上記した違約金が発生する可能性が高かった。また、非点灯期間を短くするために交換用の蛍光灯を筺体内に常備する場合では、筺体内に十分な空間がないため、看板と点灯中の蛍光灯との間の底部に交換用の蛍光灯を載置せざるをえなかった。このため、交換用の蛍光灯を底部に載置できる数量が限定され、蛍光灯の交換のタイミングに間に合わない場合が生じていた。また、交換用の蛍光灯が看板から透けて見えてしまうことがあり、広告看板の美観を著しく低下させていた。
【０００６】
また、特許文献１〜３に記載のＬＥＤ光源を用いた看板用照明装置においても、上記した違約金の発生を回避するために、ＬＥＤ光源の交換に用いる物品を筺体内に常備しておくことが考えられる。しかしながら、特許文献１〜３に記載の看板用照明装置では、ＬＥＤ光源の交換に用いる物品を安定的に収容する空間を設けることができない可能性があった。
【０００７】
本発明の目的は、ＬＥＤ光源から看板に対して低消費電力で効率良く光を照射するとともに筺体内の空間を有効利用する看板用照明装置を提供することにある。
【課題を解決するための手段】
【０００８】
本発明の一態様によれば、
照射対象看板が設置される看板設置領域を開口した筺体と、
前記筺体の前記看板設置領域の鉛直上端側に設けられ、前記鉛直上端側から下向きに光を発するＬＥＤ光源と、
前記看板設置領域と対向する状態で前記筺体内に配置されるとともに、前記看板設置領域の前記鉛直上端側から鉛直下端側まで一様に平面状に形成され、前記ＬＥＤ光源が発した光の少なくとも一部を前記看板設置領域に向けて反射する反射面を形成する反射板と、
を備え、
前記反射板は、前記反射面と前記看板設置領域との対向距離が前記看板設置領域の前記鉛直上端側から前記鉛直下端側に向けて徐々に近くなるように斜めに傾けて配置されることにより、前記筺体の内部で且つ前記反射板を挟んで前記ＬＥＤ光源と対向する鉛直下側に、前記ＬＥＤ光源の交換に用いる物品を載置可能な収納空間を形成することを特徴とする看板用照明装置が提供される。
【発明の効果】
【０００９】
本発明によれば、低消費電力で効率良く看板に光を照射するとともに筺体内の空間を有効利用する看板用照明装置を提供することができる。
【図面の簡単な説明】
【００１０】
【図１】本発明の実施の形態１に係る看板用照明装置の構成を示す斜視図である。
【図２】上記実施の形態１に係る看板用照明装置の構成を示す断面図である。
【図３】上記実施の形態１に係る看板用照明装置のＬＥＤ光源付近の構成を示す斜視図である。
【図４】上記実施の形態１に係る看板用照明装置のＬＥＤ光源のパッケージ構造を示す模式図であり、（ａ）は、その平面図、（ｂ）は、図４（ａ）のＡ−Ａ矢視断面図であり、（ｃ）は、他のＬＥＤ光源のパッケージを示す断面図である。
【図５】上記実施の形態１に係る看板用照明装置のＬＥＤ実装基板の構成を示す図であり、（ａ）はその平面図、（ｂ）はその側面図、（ｃ）はその長手方向の端面からみた正面図である。
【図６】上記実施の形態１に係る看板用照明装置のＬＥＤ実装基板の他の構成を示す図であり、（ａ）はその平面図、（ｂ）はその基板の一部を示す斜視図、（ｃ）は（ｂ）の長手方向の端面からみた正面図である。
【図７】本発明の実施の形態２に係る看板用照明装置の構成を示す断面図である。
【図８】本発明の実施の形態３に係る看板用照明装置の構成を示す断面図である。
【図９】本発明の実施の形態４に係る看板用照明装置の構成を示す断面図である。
【発明を実施するための形態】
【００１１】
以下、本発明の実施の形態について図面を参照して詳細に説明する。
【００１２】
＜実施の形態１＞
（１）看板用照明装置の構成
図１〜３を用い、本発明の実施の形態１に係る看板用照明装置１００について説明する。図１は、本発明の実施の形態１に係る看板用照明装置の構成を示す斜視図である。図２は、上記実施の形態１に係る看板用照明装置の構成を示す断面図である。本実施形態における看板用照明装置１００は、看板の裏面側から光を照射する看板用照明装置、いわゆる内照式看板用照明装置である。
【００１３】
図１に示すように、本実施形態の看板用照明装置１００は、照射対象看板（以下、「看板」）１０が設置される看板設置領域１１を開口した筺体２０と、筺体２０の看板設置領域１１の鉛直上端側に設けられ、鉛直上端側から下向きに光を発するＬＥＤ光源１１０と、看板設置領域１１と対向する状態で筺体２０内に配置されるとともに、看板設置領域１１の鉛直上端側から鉛直下端側まで一様に平面状に形成され、ＬＥＤ光源１１０が発した光の少なくとも一部を看板設置領域１１に向けて反射する反射面１３２を形成する反射板１３０と、を備える。反射板１３０は、反射面１３２と看板設置領域１１との対向距離が看板設置領域１１の鉛直上端側から鉛直下端側に向けて徐々に近くなるように斜めに傾けて配置されることにより、筺体２０の内部で且つ反射板１３０を挟んでＬＥＤ光源１１０と対向する鉛直下側に、ＬＥＤ光源１１０の交換に用いる物品を載置可能な収納空間３０を形成するよう構成される。以下、詳細を説明する。
【００１４】
なお、以下において、「鉛直下側」とは、重力が生じる側、すなわち天地の地方向のことをいい、「鉛直上側」とは、重力が生じる側と反対の側、すなわち天地の天方向のことをいう。
【００１５】
（筺体）
図１に示すように、看板用照明装置１００は、例えば駅構内の壁面や建物の壁面などに設置され、少なくとも看板１０を保持する筺体２０を備える。看板１０は例えば四角形である。筺体２０は、例えば、看板１０が設置される看板設置領域１１を開口したフレーム部２２と、看板設置領域１１の裏面側の鉛直下側に設けられる底部２４と、底部２４から鉛直方向に立設する側面部２６と、側面部２６の鉛直上側に接する天井部２８と、を有する。なお、側面部２６は、看板設置領域１１（看板１０の設置面）の法線方向から見て、右側面部、左側面部、および背面部を含む総称である。例えば、筺体２０の幅は４０００ｍｍ、筺体２０の高さは３０００ｍｍ、筺体２０の奥行きは１５０ｍｍ以上２５０ｍｍ以下である。なお、筺体２０の幅とは、看板設置領域１１（看板１０の設置面）の法線方向から見たときの水平方向の長さであり、筺体２０の高さとは、看板設置領域１１の法線方向から見たときの鉛直方向の長さのことである。
【００１６】
筺体２０の看板設置領域１１を除く一部または全部は、壁面に埋め込まれていても良い。また、背面部は、筺体２０を設置する壁面であっても良い。
【００１７】
図２に示すように、看板１０は、フレーム部２２に嵌合される。看板設置領域１１に設置される看板１０は、例えば、透光性を有する透光板１４と、透光板１４の裏面側に接し透光板１４側に絵柄を表示する絵柄表示板（紙またはフィルムを含む）１２と、絵柄表示板１２の裏面側に接し透光性を有する透光板１６と、を有する。看板１０の裏面（透光板１６）側から光を照射することにより、透光板１６を透過した光によって絵柄表示板１２の絵柄が明るく表示される。
【００１８】
（ＬＥＤ光源）
図１および図２に示すように、ＬＥＤ光源１１０は、鉛直上端側から下向きに光を発するよう構成される。ＬＥＤ光源１１０は、例えば、光出射面に対して垂直な方向に強い指向性を有するよう構成されている。言い換えれば、ＬＥＤ光源１１０からの光線の直進性が高い。例えば、ＬＥＤ光源１１０は、ＬＥＤ光源１１０の指向性が強い方向が看板設置領域１１の鉛直上端側から下向き（鉛直下方向および斜め下方向を含む）、好ましくは看板設置領域１１に沿った鉛直下方向に向くように配置される。
【００１９】
ＬＥＤ光源１１０は、例えば、筺体２０の看板設置領域１１の鉛直上端側に設けられる。ＬＥＤ光源１１０は、例えば筺体２０の天井部２８に固定治具により固定される。
【００２０】
図３は、上記実施の形態１に係る看板用照明装置１００のＬＥＤ光源１１０付近の構成を示す斜視図である。図３に示すように、ＬＥＤ光源１１０は、例えば、看板設置領域１１に沿って長尺に設けられる。具体的には、例えば、ＬＥＤ光源１１０は、看板設置領域１１に沿って長尺に設けられた装置本体１１０Ａと、装置本体１１０Ａに設けられたＬＥＤ実装基板１２０と、ＬＥＤ実装基板１２０に実装された複数のＬＥＤ素子１１１と、を有する。複数のＬＥＤ素子１１１は、ＬＥＤ実装基板１２０の長手方向に互いに等間隔でＬＥＤ実装基板１２０に配置されている。
【００２１】
なお、装置本体１１０Ａは、例えばアルミニウムなどの材料で構成されることにより、ＬＥＤ光源１１０からの熱を外部に放熱する放熱部材としての機能を併せ持つ。また、装置本体１１０Ａは反射板１３０に隣接または物理的に接触することにより、装置本体１１０Ａからの熱は、反射板１３０を放熱板として外部に放出されうる。
【００２２】
図４は、ＬＥＤ光源１１０のパッケージ構造を示す模式図であり、図４（ａ）は、その平面図、図４（ｂ）は、図４（ａ）のＡ−Ａ矢視断面図である。図４（ｃ）は、他のＬＥＤ光源のパッケージを示す断面図である。
【００２３】
図４（ａ）および図４（ｂ）に示すように、ＬＥＤ素子１１１は、例えば表面実装型ＬＥＤパッケージである。ＬＥＤ素子１１１は、セラミックや樹脂で成形されたキャビティ１１２と、キャビティ１１２に実装された複数のＬＥＤチップ（ベアチップ）１１３と、キャビティ１１２の内側の面に形成され、ＬＥＤチップ１１３が発光した光を前面に反射するリフレクタ１１４と、キャビティ１１２内を充填し蛍光体含有のシリコーン樹脂からなる封止材１１５と、を備える。
【００２４】
また、図４（ｂ）に示すように、封止材１１５の上面側には、例えば光出射面の法線方向に集光する集光レンズ１１６が設けられる。集光レンズ１１６装着によりＬＥＤ素子１１１の指向性を高めることができる。集光レンズ１１６は、例えば、エポキシやシリコーン樹脂あるいはガラスなどからなる。なお、上記パッケージ上のアノード電極、カソード電極、それらとＬＥＤチップ１１３とを接続する金属ワイヤなどの図示は省略している。
【００２５】
ＬＥＤチップ１１３は、高輝度青色ＬＥＤチップであり、発光した青色光を封止材１１５に含まれる蛍光体に当てて白色ＬＥＤを実現する。また、リフレクタ１１４は、真空蒸着により形成された高輝度反射板であることが好ましい。
【００２６】
また、図４（ｃ）に示すように、ＬＥＤチップ１１３は、１つであってもよい。また、集光レンズ１１６が取り付けられた構造であってもよい。封止材１１５は、白色ＬＥＤ用蛍光体を分散させた耐紫外性、耐熱性を有するシリコーン樹脂を用いることが好ましい。
【００２７】
（ＬＥＤ実装基板）
図５は、ＬＥＤ実装基板１２０の構成を示す図である。図５（ａ）は、その平面図、図５（ｂ）は、その側面図、図５（ｃ）は、その長手方向の端面からみた正面図である。
【００２８】
図５（ａ）〜（ｃ）に示すように、ＬＥＤ実装基板１２０は、装置本体１１０Ａと同様に長尺状ではあるが、装置本体１１０Ａの外形寸法よりは短尺な外部基板である。本実施の形態では、ＬＥＤ実装基板１２０は、例えば、長尺方向の長さが１０００ｍｍ、長尺方向に直交する幅方向の長さが８０ｍｍ、厚さが約４０ｍｍである。例えば、ＬＥＤ光源１１０は、看板設置領域１１の水平方向の幅に合わせて長尺方向に４つ連ねて設けられたＬＥＤ実装基板１２０を有する。
【００２９】
ＬＥＤ実装基板１２０には、例えば、長手方向に互いに等間隔で並んで配置された複数のＬＥＤ素子１１１を有する列が設けられ、この複数の列は幅方向に互いに等間隔で配置される。具体的には、ＬＥＤ実装基板１２０には、複数のＬＥＤ素子１１１が直線状に３列、長手方向に整列配置して取り付けられている。なお、前記図３では、説明の便宜上、ＬＥＤ素子１１１は１列１２個×３列としたが、実装例では、例えば図５の通り１列６５個×３列設置される。また、ＬＥＤ実装基板１２０の形状・外形寸法、ＬＥＤ素子１１１の配置個数・配列方法はどのようなものでもよい。
【００３０】
本実施形態のＬＥＤ実装基板１２０の構成は、既存の表面実装型ＬＥＤパッケージをそのまま使用することができる利点がある。既存の表面実装型ＬＥＤパッケージが使用できるので、汎用性があり実施が容易であること、低コスト化が可能である。
【００３１】
（反射板）
図１および図２に示すように、反射板１３０は、看板設置領域１１と対向する状態で筺体２０内に配置される。また、反射板１３０は、看板設置領域１１の鉛直上端側から鉛直下端側まで一様に平面状に形成され、ＬＥＤ光源１１０が発した光の少なくとも一部を看板設置領域１１に向けて反射する反射面１３２を形成するよう構成されている。ＬＥＤ光源１１０が反射板１３０の方向に発した光は、反射面１３２で１回だけ反射して看板設置領域１１に照射される。
【００３２】
図１に示すように、例えば、反射板１３０の鉛直上端側（上辺）は、看板設置領域１１の鉛直上端側の一辺と、ＬＥＤ光源１１０の長手方向と、の少なくともいずれか一方に沿って配置される。反射板１３０の鉛直上端側と、看板設置領域１１の鉛直上端側の一辺と、ＬＥＤ光源１１０の長手方向と、は平行であることが好ましい。これにより、ＬＥＤ光源１１０の光が看板１０に対して水平方向に均一に照射される。
【００３３】
また、例えば、反射板１３０は、看板設置領域１１の法線方向から見たときに、看板設置領域１１の幅以下の幅、好ましくは看板設置領域１１の幅よりも狭い幅を有する。これにより、反射板１３０を看板設置領域１１の開口側から看板設置領域１１の法線方向に回動させることにより、後述する収納空間３０に載置された物品１１０’を容易に出し入れすることができる。また、筺体２０内に反射板１３０を設置する際に、看板設置領域１１の開口側から反射板１３０を筺体２０内に挿入することができる。すなわち、筺体２０が壁面に埋め込まれており、反射板１３０を側面部２６から挿入できない場合に特に有効である。
【００３４】
また、反射板１３０の少なくとも反射面１３２は、例えば一部材により構成される。具体的には、反射板１３０は、例えば、反射面１３２が鏡面仕上げ又は銀蒸着された高光沢圧延アルミニウム板を用いることができる。また、反射面１３２は、例えばセラミックコーティングされていてもよい。これにより反射特性を維持することができる。
【００３５】
ここで、反射板１３０のＬＥＤ光源１１０に対する角度は、例えば、反射板１３０の鉛直上端側の位置、および反射板１３０の鉛直下端側の位置によって調整される。本実施形態では、反射板１３０は、反射面１３２と看板設置領域１１との対向距離が看板設置領域１１の鉛直上端側から鉛直下端側に向けて徐々に近くなるように斜めに傾けて配置される。これにより、ＬＥＤ光源１１０から遠くなるほど、光量が減少する分、反射板１３０を看板設置領域１１に近づけることにより、看板１０を均一に明るく照らすことができる。
【００３６】
具体的構成としては、図２に示すように、反射板１３０の鉛直上端側は、例えば、ＬＥＤ光源１１０の看板設置領域１１と反対の側に配置され、後述する角度調整部１４０によって天井部２８またはＬＥＤ光源１１０に連結される。また、反射板１３０は、ＬＥＤ光源１１０に隣接して配置される。例えば、ＬＥＤ光源１１０と反射板１３０の上端との距離は、ＬＥＤ光源１１０と看板設置領域１１の上端との距離よりも短い。これにより、ＬＥＤ光源１１０から反射板１３０（背面部方向）に向かって出射された光は、すぐに反射板１３０で反射されて看板設置領域１１に向かって照射される。
【００３７】
一方、反射板１３０の鉛直下端側は、例えば、看板設置領域１１（看板１０の設置面）に沿った方向から見たときにＬＥＤ光源１１０よりも看板設置領域１１側に位置する。例えば、反射板１３０の鉛直下端側は、フレーム部２２の下端、または底部２４の看板設置領域１１側に解除可能に固定される。これにより、ＬＥＤ光源１１０から発せられ反射板１３０によって反射された光の多くが、筺体２０の底部２４ではなく看板設置領域１１に向けて照射される。また、反射板１３０の看板設置領域１１と反対側において、後述する収納空間３０が広くなる。
【００３８】
なお、反射板１３０の鉛直下端側は、底部２４まで達していなくても良い。反射板１３０の鉛直下端側から反射される光が看板設置領域１１の鉛直下端側まで到達するように、反射板１３０の鉛直下端側が配置されればよい。
【００３９】
上記方法により、反射板１３０のＬＥＤ光源１１０に対する角度は、例えば看板１０を見る人の目と、看板設置領域１１と、の位置関係に基づいて設定される。例えば、ＬＥＤ光源１１０から発せられ反射板１３０によって反射される光の少なくとも一部が、看板１０を見る人の目の位置と、看板設置領域１１と、を結ぶ直線と重なるように、反射板１３０のＬＥＤ光源１１０に対する角度が調整される。これにより、看板１０を見る人の目線に向かって光が照射されることにより、看板１０を見る人の側に看板１０を明るく表示させることができる。本実施形態では、天井部２８にＬＥＤ光源１１０が設けられているため、例えば、看板用照明装置１００が人よりも鉛直上側に設置されている場合に特に有効である。
【００４０】
（収納空間）
図２に示すように、上述のように、反射板１３０は、反射面１３２と看板設置領域１１との対向距離が看板設置領域１１の鉛直上端側から鉛直下端側に向けて徐々に近くなるように斜めに傾けて配置される。これにより、反射板１３０は、筺体２０の内部で且つ反射板１３０を挟んでＬＥＤ光源１１０と対向する鉛直下側に、ＬＥＤ光源１１０の交換に用いる物品１１０’を載置可能な収納空間３０を形成するよう構成されている。
【００４１】
「収納空間３０」とは、例えば、反射板１３０、底部２４および側面部２６によって構成される。収納空間３０が「ＬＥＤ光源１１０の交換に用いる物品１１０’を載置可能」であるとは、収納空間３０が少なくともＬＥＤ光源１１０の交換に用いる物品１１０’を収容する容積を有し、その物品１１０’を静置することができることを意味する。「ＬＥＤ光源１１０の交換に用いる物品１１０’」とは、交換用のＬＥＤ光源１１０全体、ＬＥＤ光源１１０を構成する交換用のＬＥＤ素子１１１、集光レンズ１１６、配線、コネクタ並びにヒューズ、およびメンテナンスに必要な工具等の少なくともいずれかを含むものである。なお、収納空間３０に載置されるものは、必ずしもＬＥＤ光源１１０の交換に用いる物品１１０’でなくてもよい。また、収納空間３０が形成されていればよく、必ずしも物品１１０’が載置されていなくてもよい。
【００４２】
このように、反射板１３０を挟んでＬＥＤ光源１１０と対向する鉛直下側に収納空間３０が設けられていることにより、収納空間３０内にＬＥＤ光源１１０の交換に用いる物品１１０’を常備しておくことができる。
【００４３】
（角度調整部）
本実施形態では、さらに、反射板１３０は、筺体２０またはＬＥＤ光源１１０に連結され、ＬＥＤ光源１１０に対して回動可能である。反射板１３０は、反射板１３０の鉛直下端側（下辺）の位置を看板設置領域１１の法線方向に向かって回動できるように構成されている。
【００４４】
具体的には、図１および図２に示すように、看板用照明装置１００は、反射板１３０を回動可能な角度調整部１４０を備える。角度調整部１４０は、例えば、ＬＥＤ光源１１０の装置本体１１０Ａの上端部に固定された円筒部材１４１と、円筒部材１４１に回動可能に嵌挿される反射板支持部材（軸部）１４２と、を備える。円筒部材１４１と反射板支持部材１４２とは、ヒンジ構造となっており、装置本体１００Ａの上端部と反射板１３０の上端とを回動可能に連結する。あるいは、反射板支持部材１４２に代えて、反射板１３０の端部の構造自体が、反射板支持部材１４２と同様の形状に構成されていてもよい。
【００４５】
また、反射板支持部材１４２は、例えば、反射板１３０をＬＥＤ光源１１０に干渉させることなく、所定範囲の角度で回動することができるように、ＬＥＤ光源１１０の発光位置から所定距離に配置される。
【００４６】
また、反射板支持部材１４２は、ＬＥＤ光源１１０の長手方向に沿って配置される。これにより、反射板１３０をフレーム部２２または側面部２６（左右側面部）に干渉させることなく看板設置領域１１の法線方向に向かって回動させることができる。
【００４７】
このように、反射板１３０がＬＥＤ光源１１０に対して回動可能であることにより、看板設置領域１１側から反射板１３０を回動させて、収納空間３０から物品１１０’を出し入れすることができる。さらに、ＬＥＤ光源１１０の指向性、または筺体２０の奥行きに応じて、反射板１３０のＬＥＤ光源１１０に対する角度を変更しつつ、筺体２０内に反射板１３０を設置することができる。
【００４８】
さらに、図３に示すように、角度調整部１４０は、反射板支持部材１４２を特定の回動角度で円筒部材１４１に固定する位置決め部材１４３を備えていても良い。位置決め部材１４３は、反射板１３０の反射角度が特定の回動角度となる位置で反射板支持部材１４２を円筒部材１４１に固定するよう構成される。具体的には、位置決め部材１４３は、円筒部材１４１に形成された反射板支持部材１４２に連通するネジ穴と、ネジ穴に反射板支持部材１４２に当接するまで螺合されて反射板支持部材１４２を円筒部材１４１に固定する止めネジと、を備える。位置決め部材１４３がこのような構造を備えることによって、反射板１３０のＬＥＤ光源１１０に対する反射角度が任意に調整された状態で、反射板１３０を固定することができる。例えば、反射板１３０の鉛直下端側が底部２４まで達していない場合に特に有効である。なお、角度調整部１４０は、上記特定の回動角度において位置決めを容易にするため、ノッチ部や目印（いずれも図示略）を備えていてもよい。
【００４９】
（２）本実施の形態の効果
本実施形態によれば、以下に示す１つまたは複数の効果を奏する。
【００５０】
（ａ）本実施形態によれば、看板用照明装置１００は、光線の直進性が高く、長寿命のＬＥＤ光源１１０を備える。これにより、ＬＥＤ光源１１０を看板設置領域１１に沿った方向に光を発するように配置することができるとともに、交換費用を低減することができる。
【００５１】
これまでの内照式看板用照明装置では、ＬＥＤ光源に比べ輝度が低く短寿命の蛍光灯が用いられてきた。このため、看板の裏面側に対向する位置に複数の蛍光灯を設置する必要があった。また、看板用照明装置を維持管理するために、交換する蛍光灯の費用、交換作業費用が多くかかる可能性があった。
【００５２】
これに対して、本実施形態に用いられるＬＥＤ光源１１０は、光源から遠いところでも光量を維持することができる。これにより、ＬＥＤ光源１１０を、看板設置領域１１に沿った方向、例えば筺体２０の看板設置領域１１の鉛直上端側で下向きに光を発するように配置することができる。また、ＬＥＤ光源１１０は、蛍光灯よりも長寿命であることから、看板用照明装置１００を点灯した状態に長く維持することができる。したがって、ＬＥＤ光源１１０の交換の頻度が少なくなることにより、交換にかかる費用を低減することができる。
【００５３】
（ｂ）本実施形態によれば、看板用照明装置１００は、看板設置領域１１の外縁側に設けられ看板設置領域１１の裏面側で光を発するＬＥＤ光源１１０と、ＬＥＤ光源１１０からの光を看板設置領域１１側に反射する反射板１３０と、を備える。これにより、低消費電力で効率良く看板１０を照明することができる。
【００５４】
これまでの蛍光灯の看板用照明装置では、蛍光灯の輝度は小さいため、看板全体に対応するように多くの蛍光灯を配置しなければ、看板全体を均一に照明することができず、多くの消費電力を必要としていた。例えば、４ｍ×３ｍの看板では、４０Ｗの蛍光灯が２４本必要とされ、９６０Ｗの電力が消費される。
【００５５】
これに対して、本実施形態の看板用照明装置１００は、看板設置領域１１の外縁側に設けられたＬＥＤ光源１１０からの光を、反射板１３０によって反射させることによって、看板設置領域１１の全体に亘って照射することができる。これにより、ＬＥＤ光源１１０の設置数を減らし、消費電力を小さくすることができる。本実施形態では、例えば、４ｍ×３ｍの看板を比較例と同じ明るさで照明する場合には、３０ＷのＬＥＤ光源１１０が長手方向に４つ必要とされ、１２０Ｗの電力が消費される。したがって、この例では、上記した蛍光灯の看板用照明装置の例と比較して、消費電力を８７．５％削減することができる。さらに、本実施形態では、光源を看板設置領域１１に対向する位置に配置する必要がないため、看板用照明装置１００を薄型化することができる。
【００５６】
（ｃ）本実施形態によれば、反射板１３０は、看板設置領域１１の鉛直上端側から鉛直下端側まで一様に平面状に形成され、ＬＥＤ光源１１０が発した光の少なくとも一部を看板設置領域１１に向けて反射する反射面１３２を形成するよう構成される。また、反射板１３０は、反射面１３２と看板設置領域１１との対向距離が看板設置領域１１の鉛直上端側から鉛直下端側に向けて徐々に近くなるように斜めに傾けて配置される。ＬＥＤ光源１１０から遠い位置（看板設置領域１１の鉛直下端側）では、光量が減少する。この光量が減少する分を補うように、反射板１３０を看板設置領域１１に近づける。すなわち、ＬＥＤ光源１１０から遠い位置ほど、看板設置領域１１に近い位置で光を反射させる。看板設置領域１１における光量は、鉛直方向の位置に依らず均一になる。すなわち、看板１０を均一に明るく照らすことができる。
【００５７】
また、ＬＥＤ光源１１０が反射板１３０の方向に発した光は、反射面１３２で１回だけ反射して看板設置領域１１に照射される。反射板１３０による反射回数は１回であることにより、ＬＥＤ光源１１０からの光量の低下（減衰）を最小限にすることができる。よって、ＬＥＤ光源１１０から看板１０に対して低消費電力で効率良く光を照射することができる。
【００５８】
（ｄ）本実施形態によれば、ＬＥＤ光源１１０は筺体２０の看板設置領域１１の鉛直上端側に設けられるとともに、反射板１３０は、上述のように斜めに傾けて配置される。これにより、反射板１３０、底部２４および側面部２６によって、筺体２０の内部で且つ反射板１３０を挟んでＬＥＤ光源１１０と対向する鉛直下側に、ＬＥＤ光源１１０の交換に用いる物品１１０’を載置可能な収納空間３０が形成される。
【００５９】
ここで、広告の看板用照明装置では、看板用照明装置が故障などにより一時的に非点灯となった場合に、看板用照明装置の非点灯期間に応じて広告主に違約金を支払うことが契約で定められていることがある。蛍光灯の看板用照明装置では、蛍光灯の寿命が短いため、上記した違約金が発生する可能性が高かった。また、非点灯期間を短くするために交換用の蛍光灯を筺体内に常備する場合では、筺体内に十分な空間がないため、看板と点灯中の蛍光灯との間の底部に交換用の蛍光灯を載置せざるをえなかった。このため、交換用の蛍光灯を底部に載置できる数量が限定され、蛍光灯の交換のタイミングに間に合わない場合が生じていた。また、交換用の蛍光灯が看板から透けて見えてしまうことがあり、広告看板の美観を著しく低下させていた。
【００６０】
これに対して、本実施形態によれば、ＬＥＤ光源１１０の交換に用いる物品１１０’を載置可能な収納空間３０が、反射板１３０を挟んでＬＥＤ光源１１０と対向する鉛直下側に形成される。この収納空間３０内にＬＥＤ光源１１０の交換に用いる物品１１０’を常備しておくことができる。上述のように長寿命のＬＥＤ光源１１０を用いることによって看板用照明装置１００を長く点灯させることができる上に、さらに、万一、電源系統のトラブル等によりＬＥＤ光源１１０が非点灯となった場合でも、ＬＥＤ光源１１０の交換に用いる物品の手配をすることなく、すぐにＬＥＤ光源１１０を交換することができる。看板用照明装置１００の非点灯期間を最小限に抑えることができる。すなわち、広告主に違約金を支払う可能性が低くなる。また、反射板１３０の看板１０と反対側に、反射板１３０によって遮蔽されて物品１１０’が収納されることにより、物品１１０’が看板１０から透けて見えてしまうことを抑制することができる。
【００６１】
さらに、比較例として、ＬＥＤ光源と反射板とを本実施形態とは反対に配置する場合を考える。すなわち、比較例では、ＬＥＤ光源は筺体の看板設置領域の鉛直下端側に設けられるとともに、反射板は、反射板と看板設置領域との対向距離が看板設置領域の鉛直下端側から鉛直上端側に向けて徐々に近くなるように斜めに傾けて配置されると仮定する。この比較例では、ＬＥＤ光源の交換に用いる物品を安定的に収容する空間を設けることができない可能性がある。例えば、ＬＥＤ光源の交換に用いる物品を底部に載置するためには、看板と点灯中のＬＥＤ光源との間に物品を配置せざるをえない。この場合、蛍光灯の場合と同様に、物品が看板から透けて見えてしまう可能性がある。さらに、点灯中のＬＥＤ光源と交換用の物品との距離が近いため、点灯中のＬＥＤ光源からの発熱によって、交換用の物品（交換用ＬＥＤ光源等）が劣化してしまう可能性がある。また、例えば、ＬＥＤ光源の交換に用いる物品を傾斜した反射板の裏面側に配置する場合では、物品を安定的に保持することが困難である可能性がある。さらに、ＬＥＤ光源の交換に用いる物品を傾斜した反射板の裏面側でも、ＬＥＤ光源の近くに物品を配置することになり、点灯中のＬＥＤ光源からの発熱によって交換用の物品が劣化してしまう可能性がある。したがって、比較例では、反射板の看板設置領域と反対の側における空間は、収納空間として利用できず、デッドスペースとなってしまう可能性がある。
【００６２】
比較例に対して、本実施形態によれば、収納空間３０内の底部２４に、物品１１０’を安定的に静置することができ、筺体２０の内部を有効利用することができる。また、筺体２０内において、点灯中のＬＥＤ光源１１０から最も離れた位置に交換用の物品１１０’を収納することができ、点灯中のＬＥＤ光源１１０からの発熱によって交換用の物品１１０’が劣化することが抑制される。さらに、万一、地震等により天井部２８に設置されたＬＥＤ光源１１０が落下しても、この落下物を反射板１３０が受け止めることによって収納空間３０内の物品１１０’が破損することが抑制される。
【００６３】
（ｅ）本実施形態によれば、反射板１３０は、筺体２０またはＬＥＤ光源１１０に連結され、ＬＥＤ光源１１０に対して回動可能である。これにより、看板設置領域１１側から反射板１３０を回動させて、収納空間３０から物品１１０’を出し入れすることができる。さらに、ＬＥＤ光源１１０の指向性、または筺体２０の奥行きに応じて、反射板１３０のＬＥＤ光源１１０に対する角度を変更しつつ、筺体２０内に反射板１３０を設置することができる。
【００６４】
＜本実施の形態の変形例＞
図６は、上記実施の形態１に係る看板用照明装置のＬＥＤ実装基板の他の構成を示す図である。図６（ａ）は、その平面図、図６（ｂ）は、その基板の一部を示す斜視図、図６（ｃ）は、図６（ｂ）の長手方向の端面からみた正面図である。
【００６５】
図６（ａ）に示すように、看板用照明装置１００は、ＬＥＤ実装基板２２０−１〜２２０−３を備えていてもよい。ＬＥＤ実装基板２２０−１〜２２０−３は、３枚の基板が同一構成を採るため、ＬＥＤ実装基板２２０−１を代表して説明する。上述の実施形態と同一構成部分には同一符号を付している。
【００６６】
図６（ｂ）に示すように、ＬＥＤ実装基板２２０−１は、表面実装型ＬＥＤパッケージからなり、長尺状の外部基板を構成するキャビティ２１２と、キャビティ２１２に複数実装されたＬＥＤチップ１１３（複数実装されたＬＥＤ素子１１１）と、キャビティ２１２の内側の面に形成され、ＬＥＤチップ１１３が発光した光を前面に反射するリフレクタ２１４と、キャビティ２１２内を充填し蛍光体含有のシリコーン樹脂からなる封止材２１５と、を備える。
【００６７】
また、図６（ｃ）に示すように、封止材１１５の上面側には、例えば、エポキシやシリコーン樹脂あるいはガラスなどからなるレンズ２１６が設けられる。レンズ２１６を装着することにより指向性を高めることができる。
【００６８】
本変形例では、例えば、ＬＥＤチップ１１３は、９個（３×３個）を一組として、長手方向に所定間隔ごとに１０組が実装されている。本変形例のＬＥＤ実装基板１２０の構成は、上記した実施形態のＬＥＤ実装基板１２０の構成に比べ、ＬＥＤチップ１１３をより集積できる利点がある。なお、ＬＥＤ実装基板２２０−１のＬＥＤチップ１１３の配置個数・配列方法はどのようなものでもよい。例えば、ＬＥＤチップ１１３を組構成で配置するのではなく、ベアチップを単に整列配置してもよい。
【００６９】
このように本変形例によれば、さらにＬＥＤチップ１１３の集積度を上げることができ、単位面積当たりの光量を高めることができる。
【００７０】
＜実施の形態２＞
図７を用い、本発明の実施の形態２について説明する。図７は、本発明の実施の形態２に係る看板用照明装置１０２の構成を示す断面図である。
【００７１】
本実施形態は、ＬＥＤ光源１１０の指向性が実施の形態１と異なる。以下、実施の形態１と異なる要素についてのみ説明し、実施の形態１で説明した要素と実質的に同一の要素には、同一の符号を付してその説明を省略する。
【００７２】
図７に示すように、本実施形態に係るＬＥＤ光源３１０は、筺体２０の奥行き方向に相対的に看板設置領域１１に近い側に配置された第１のＬＥＤ素子と、第１のＬＥＤ素子よりも看板設置領域１１から遠い側に配置された第２のＬＥＤ素子と、を少なくとも含む。ここでは、ＬＥＤ光源３１０は、例えば、看板設置領域１１側から反射板１３０側に、互いに等間隔で３列配置されたＬＥＤ素子３１１ａ〜３１１ｃを有する。なお、ＬＥＤ素子３１１ａ〜３１１ｃとは、それぞれ看板設置領域１１に沿って同一列の素子のことである。また、上記した「第１のＬＥＤ素子」は例えば看板設置領域１１側のＬＥＤ素子３１１ａに相当し、「第２のＬＥＤ素子」は例えば反射板１３０側のＬＥＤ素子３１１ｃに相当する。看板設置領域１１側のＬＥＤ素子３１１ａと反射板１３０との鉛直方向の距離は長く、反射板１３０側のＬＥＤ素子３１１ｃと反射板１３０との鉛直方向の距離は短い。
【００７３】
本実施形態では、看板設置領域１１側のＬＥＤ素子３１１ａは、反射板１３０側のＬＥＤ素子３１１ｃよりも強い（鉛直上端方向から下向きの）指向性を有するよう構成される。反射板１３０から遠い位置のＬＥＤ素子３１１ａが鉛直下方向に強い指向性を有することにより、ＬＥＤ素子３１１ａから放出された光を、反射板１３０の鉛直下端側まで到達させ、反射板１３０によって看板設置領域１１側に反射することができる。
【００７４】
具体的には、例えば、複数のＬＥＤ素子３１１ａ〜３１１ｃは、それぞれ、例えば光出射面の法線方向に集光する集光レンズ３１６ａ〜３１６ｃを有し、それぞれの集光レンズ３１６ａ〜３１６ｃを通して光を出射するものである。看板設置領域１１側のＬＥＤ素子３１１ａの集光レンズ３１６ａにおける光放射角度は、反射板１３０側のＬＥＤ素子３１１ｃの集光レンズ３１６ｃにおける光放射角度よりも狭い。看板設置領域１１側のＬＥＤ素子３１１ａの集光レンズ３１６ａにおける光放射角度が狭いことにより、ＬＥＤ素子３１１ａから放出された光を、反射板１３０の鉛直下端側まで到達させることができる。一方、反射板１３０側のＬＥＤ素子３１１ｃの集光レンズ３１６ｃにおける光放射角度が広いことにより、ＬＥＤ素子３１１ｃから放出された光が発光面から広い角度で反射板１３０に入射して反射する。これにより、看板設置領域１１の鉛直上端側に光を効率良く照射することができる。
【００７５】
また、例えば、複数のＬＥＤ素子３１１ａ〜３１１ｃにおける鉛直下方向の指向性は、反射板１３０側から看板設置領域１１側に向けて徐々に強くなるように構成される。具体的には、複数のＬＥＤ素子３１１ａ〜３１１ｃにおけるそれぞれの集光レンズ３１６ａ〜３１６ｃの光放射角度は、反射板１３０側から看板設置領域１１側に向けて徐々に狭くなるように構成される。この構成により、それぞれのＬＥＤ素子から看板設置領域１１に光が照射される範囲は、ＬＥＤ素子３１１ｃから看板設置領域１１に光が照射される範囲ｃ、ＬＥＤ素子３１１ｂから看板設置領域１１に光が照射される範囲ｂ、ＬＥＤ素子３１１ａから看板設置領域１１に光が照射される範囲ａの順で狭くなるように構成される。なお、図示された範囲ａ〜ｃは、それぞれのＬＥＤ素子３１１ａ〜３１１ｃから主に光が照射される範囲の少なくとも一部を示しており、実際にはそれぞれのＬＥＤ素子３１１ａ〜３１１ｃから看板設置領域１１に光が照射される範囲は図示された範囲よりも広い。すなわち、複数のＬＥＤ素子３１１ａ〜３１１ｃによって看板設置領域１１全体に光が照射されるよう構成されている。このように、反射板１３０の傾斜に合わせて、ＬＥＤ素子３１１ａ〜３１１ｃのそれぞれの指向性が徐々に変化するように調整される。
【００７６】
本実施形態によれば、看板設置領域１１側のＬＥＤ素子３１１ａは、反射板１３０側のＬＥＤ素子３１１ｃよりも強い（鉛直上端方向から下向きの）指向性を有するよう構成される。これにより、反射板１３０から遠い場所に位置する看板設置領域１１側のＬＥＤ素子３１１ａから放出された光を、反射板１３０の鉛直下端側まで到達させ、反射板１３０によって看板設置領域１１側に反射することができる。したがって、看板設置領域１１の鉛直下端側、すなわち看板１０のＬＥＤ光源３１０から遠い場所に対しても効率良く光を照射することができる。例えば、看板１０が水平方向に比べて鉛直方向に長い場合等に有効である。
【００７７】
＜実施の形態３＞
図８を用い、本発明の実施の形態３について説明する。図８は、本発明の実施の形態３に係る看板用照明装置１０４の構成を示す断面図である。
【００７８】
本実施形態は、両面に看板設置領域が設けられる点が実施の形態１と異なる。以下、実施の形態１と異なる要素についてのみ説明し、実施の形態１で説明した要素と実質的に同一の要素には、同一の符号を付してその説明を省略する。
【００７９】
図８に示すように、本実施形態に係る看板用照明装置１０４は、両面表示型である。筺体２０は、第１の看板１０ａが設置される第１看板設置領域１１ａと、第１看板設置領域１１ａと反対側に設けられ第２の看板１０ｂが設置される第２看板設置領域１１ｂと、を開口する。第１の看板１０ａおよび第２の看板１０ｂは、それぞれフレーム部２２ａ、およびフレーム部２２ａと反対側に設けられるフレーム部２２ｂに嵌合される。
【００８０】
また、第１看板設置領域１１ａに対応する位置には、第１ＬＥＤ光源１１０ａ、第１反射板１３０ａ、および第１角度調整部１４０ａが設けられる。一方、第２看板設置領域１１ｂに対応する位置には、第２ＬＥＤ光源１１０ｂ、第２反射板１３０ｂ、および第２角度調整部１４０ｂが設けられる。第１看板設置領域１１ａおよび第２看板設置領域１１ｂのそれぞれに対応する構成物の位置関係は、実施の形態１と同様である。
【００８１】
第１反射板１３０ａは、第１反射板１３０ａと第１看板設置領域１１ａとの対向距離が第１看板設置領域１１ａの鉛直上端側から鉛直下端側に向けて徐々に近くなるように斜めに傾けて配置される。一方、第２反射板１３０ｂは、第２反射板１３０ｂと第２看板設置領域１１ｂとの対向距離が第２看板設置領域１１ｂの鉛直上端側から鉛直下端側に向けて徐々に近くなるように斜めに傾けて配置される。
【００８２】
これにより、筺体２０の内部で、第１反射板１３０ａを挟んで第１ＬＥＤ光源１１０ａと対向する鉛直下側と、第２反射板１３０ｂを挟んで第２ＬＥＤ光源１１０ｂと対向する鉛直下側とに、ＬＥＤ光源の交換に用いる物品１１０’を載置可能な収納空間３０が形成される。
【００８３】
本実施形態によれば、第１看板設置領域１１ａと、第１看板設置領域１１ａと反対側に設けられる第２看板設置領域１１ｂと、のそれぞれに対応する位置に、ＬＥＤ光源および反射板が設けられる。これにより、薄型の両面表示型の看板用照明装置を実現することができる。また、本実施形態では、ＬＥＤ光源が筺体２０の天井部２８に集約されているため、第１看板設置領域１１ａと第２看板設置領域１１ｂとの間に配線等が煩雑に配置されることが回避される。これにより、ＬＥＤ光源の交換に用いる物品１１０’を載置可能な広い収納空間３０を確保することができる。
【００８４】
＜実施の形態４＞
図９を用い、本発明の実施の形態４について説明する。図９は、本発明の実施の形態４に係る看板用照明装置１０６の構成を示す断面図である。
【００８５】
本実施形態は、看板設置領域１１が鉛直方向に対して傾けられる点が実施の形態１と異なる。以下、実施の形態１と異なる要素についてのみ説明し、実施の形態１で説明した要素と実質的に同一の要素には、同一の符号を付してその説明を省略する。
【００８６】
図９に示すように、看板１０ｃの表示面が斜め下側を向くように、看板設置領域１１ｃが鉛直方向に対して傾けられる。看板設置領域１１は、筺体２０の天井部２８に対して、鋭角に配置される。一方で、反射板１３０は、天井部２８に対して垂直に配置される。このような配置により、反射板１３０は、反射面１３２と看板設置領域１１ｃとの対向距離が看板設置領域１１ｃの鉛直上端側から鉛直下端側に向けて徐々に近くなるように配置される。
【００８７】
なお、本実施形態では、反射板１３０が筺体２０の背面部（側面部２６）に接しているため、ＬＥＤ光源１１０ｃの交換に用いる物品を載置可能な収納空間は設けられていない。
【００８８】
また、本実施形態においても、設置の際に用いる角度調整部１４０ｃが設けられていても良い。
【００８９】
本実施形態によれば、看板設置領域１１ｃが鉛直方向に対して傾けられることによって、反射板１３０は、反射板１３０と看板設置領域１１ｃとの対向距離が看板設置領域１１ｃの鉛直上端側から鉛直下端側に向けて徐々に近くなるように配置される。この場合でも、実施形態１と同様の効果を得ることができる。
【００９０】
ここで、蛍光灯を用いた看板用照明装置を看板の表示面が斜め下側を向くように配置する場合、上述のように蛍光灯と看板との距離を近づける必要があるため、看板用照明装置全体を傾ける必要があった。このため、看板用照明装置全体としての設置範囲が広くなってしまい、設置場所が限られてしまうという可能性があった。また、ＬＥＤ光源が筺体の側面部または底部に設けられた看板用照明装置を、看板の表示面が斜め下側を向くように配置する場合、上記蛍光灯を用いた看板用照明装置と同様に、看板用照明装置全体を傾ける必要があり、看板用照明装置全体としての設置範囲が広くなってしまう可能性があった。
【００９１】
これに対して、本実施形態によれば、看板１０ｃの表示面が斜め下側を向くように配置する場合でも、ＬＥＤ光源１１０ｃから低消費電力で効率良く看板１０ｃに光を照射することができる。またこの場合でも、看板用照明装置１０６を薄型化することができ、看板用照明装置１０６全体の設置範囲を狭くすることができる。
【００９２】
また、本実施形態の看板用照明装置１０６は、人が下から見上げる位置に配置される場合に特に有効である。この場合、天井部２８に設けられたＬＥＤ光源１１０から看板１０を見る人の目線に向かって光が照射される。例えば、看板用照明装置１０６は、駅等における駅名行き先表示等の看板、高速道路の誘導表示等の看板に、特に有効である。これらの場合、例えば日中であっても、太陽の光を直接的に看板１０ｃに当てることなく、または太陽の光から看板１０への入射角度よりも小さい入射角度（看板１０の法線方向に近い角度）でＬＥＤ光源１１０ｃからの光を看板１０ｃに照射することによって、看板１０ｃを明確に表示させることができる。
【００９３】
＜本発明の他の実施形態＞
以上の説明は本発明の好適な実施の形態の例証であり、本発明の範囲はこれに限定されることはない。
【００９４】
上記の実施形態では、看板用照明装置という名称を用いたが、これは説明の便宜上であり、この名称に限定されるものではない。名称は、看板に限定されない「照明装置」、「照明器具」等であってもよい。また、「看板」という名称は、便宜上ものであり、例えば標識等を照明してもよい。
【００９５】
また、上述の実施形態では、看板１０が四角形である場合について説明したが、本発明はこれに限定されるものではない。看板は、円形、その他の多角形であってもよい。
【００９６】
また、上述の実施形態では、看板１０の高さが筺体２０の高さと等しい場合について説明したが、本発明はこれに限定されるものではない。看板の高さは、筺体の高さよりも低くても良い。この場合、フレーム部は、反射板から反射された光が照射される位置で、看板を保持することが好ましい。
【００９７】
また、上述の実施形態では、ＬＥＤ光源１１０が看板設置領域１１に沿った鉛直下方向に向くように配置される場合について説明したが、本発明はこれに限定されるものではない。ＬＥＤ光源１１０の指向性が強い方向が、看板設置領域１１の鉛直上端側から下向きの範囲内であればよく、ＬＥＤ光源１１０の方向は限定されない。
【００９８】
また、上述の実施形態では、装置本体１１０Ａは、ＬＥＤ光源１１０からの熱を外部に放熱する放熱部材としての機能を併せ持つ点について説明した。さらに、装置本体は、例えば装置本体の側面に設けられ外部に放熱する外部放熱部を有していても良い。
【００９９】
また、上述の実施形態では、上記看板用照明装置を構成する各部、例えばＬＥＤ光源及び反射板の種類、その数及び接続方法などについて説明を略したが、本発明はその態様が限定されるものではなく、任意の種類、数及び接続方法であってもよい。
【０１００】
また、上述の実施形態では、反射板１３０が鉛直上端側から鉛直下端側まで平面状である場合について説明したが、本発明はこれに限定されるものではない。反射板１３０は、平面状の反射面１３２を有していれば良く、その一部が屈曲されていたり、湾曲形状となっていたりしてもよい。
【０１０１】
また、反射板１３０の鉛直下端側に、取手部が設けられていても良い。これにより、反射板を看板設置領域側から容易に回動し、収納空間から物品を出し入れしやすくなる。
【０１０２】
さらに、反射板１３０の少なくとも一部が回動可能に設けられていても良い。言い換えれば、反射板１３０の少なくとも一部に回動可能な小窓部が設けられていても良い。これにより、反射板１３０の必要な範囲だけを看板設置領域１１の法線方向に回動させることにより、収納空間３０から容易に物品１１０’を出し入れすることができる。
【０１０３】
上述の実施形態では、反射板１３０がＬＥＤ光源１１０に対して回動可能である場合について説明したが、本発明はこれに限定されるものではない。反射板は、回動可能でなくてもよい。
【０１０４】
また、上述の実施形態では、看板用照明装置１００が角度調整部１４０を備える場合について説明したが、本発明はこれに限定されるものではない。反射板の反射角度が任意の回動角度に調整できるものであれば、その方法は限定されない。例えば、反射板は、反射面を形成する反射シートと、筺体またはＬＥＤ光源に連結され反射シートをロール状に巻き取り可能な巻取部と、を有する反射スクリーンであってもよい。この場合、反射スクリーンは、柔軟であるため、反射シートをＬＥＤ光源に対して回動可能である。また、反射スクリーンの鉛直下端をマグネットやフックなどにより看板設置領域の鉛直下端側に容易に固定することができる。
【０１０５】
また、角度調整部１４０は、駆動装置を備え、例えば、有線又は無線通信によって角度調整を遠隔操作で行うシステムであってもよい。
【０１０６】
また、角度調整部１４０による角度調整に合わせて、ＬＥＤ光源１１０の発光量を制御するようにしてもよい。例えば、角度調整部１４０が照射対象看板の全照射領域を照射するように角度調整する場合、ＬＥＤ光源の光量を上げるようにしてもよく、より明るく照らすことができる。
【０１０７】
上述の実施の形態２では、ＬＥＤ素子３１１ａ〜３１１ｃの指向性が、封止材１１５の上面に接する集光レンズ３１６ａ〜３１６ｃの光放射角度によって調整される場合について説明したが、本発明はこれに限定されるものではない。ＬＥＤ素子内の層構造を調整することにより、ＬＥＤ素子自体の指向性を調整してもよい。または、封止材内のＬＥＤ素子の光出射面にレンズ構造が形成されていてもよい。
【０１０８】
また、上述の実施形態では、看板用照明装置１００が筺体２０を備える場合について説明したが、本発明はこれに限定されるものではない。上述の実施形態では、既設の筺体内に設置する看板用照明器具も開示されている。すなわち、看板用照明器具は、照射対象看板が設置される看板設置領域を開口した筺体内に設置される看板用照明器具であって、前記筺体の前記看板設置領域の鉛直上端側に設けられ、前記鉛直上端側から下向きに光を発するＬＥＤ光源と、前記看板設置領域と対向する状態で前記筺体内に配置されるとともに、前記看板設置領域の前記鉛直上端側から鉛直下端側まで一様に平面状に形成され、前記ＬＥＤ光源が発した光の少なくとも一部を前記看板設置領域に向けて反射する反射面を形成する反射板と、を備え、前記反射板は、前記筺体または前記ＬＥＤ光源に連結され、前記ＬＥＤ光源に対して回動可能である。これにより、例えば既設の筺体内に、ＬＥＤ光源の指向性、または筺体の奥行きに応じて、反射板のＬＥＤ光源に対する角度を変更しつつ、筺体内に反射板を設置することができる。また、看板用照明器具の設置時に、反射面と看板設置領域との対向距離が看板設置領域の鉛直上端側から鉛直下端側に向けて徐々に近くなるように反射板を配置することができる。さらに、例えば光源として蛍光灯が用いられていた看板用照明装置内に、ＬＥＤ光源を蛍光灯に替えて設置するために看板用照明器具を用いることができる。
【符号の説明】
【０１０９】
１０    看板
１１    看板設置領域
２０    筺体
２２    フレーム部
２４    底部
２６    側面部
２８    天井部
３０    収納空間
１００  看板用照明装置
１００Ａ  装置本体
１１０  ＬＥＤ光源
１２０、２２０−１〜２２０−３  ＬＥＤ実装基板
１３０  反射板
１３２  反射面
１４０  角度調整部
１４１  円筒部材
１４２  反射板支持部材
【要約】      （修正有）【課題】低消費電力で光を照射するとともに筺体内の空間を有効利用する看板用照明装置を提供する。【解決手段】照射対象看板１０が設置される看板設置領域１１を開口した筺体２０と、筺体２０の看板設置領域１１の鉛直上端側に設けられ下向きに光を発するＬＥＤ光源１１０と、看板設置領域１１と対向する状態で筺体２０内に配置されるとともに、看板設置領域１１の鉛直上端側から鉛直下端側まで平面状に形成され、ＬＥＤ光源１１０が発した光の少なくとも一部を看板設置領域１１に向けて反射する反射面１３２を形成する反射板１３０と、を備え、反射板１３０は、反射面１３２と看板設置領域１１との対向距離が看板設置領域１１の鉛直上端側から鉛直下端側に向けて徐々に近くなるように斜めに傾け、筺体２０の内部で且つ反射板１３０を挟んでＬＥＤ光源１１０と対向する鉛直下側に、ＬＥＤ光源１１０の交換に用いる物品１１０’を載置可能な収納空間を形成する。【選択図】図１【図１】
0005592528.tif 000002
【図２】
0005592528.tif 000003
【図３】
0005592528.tif 000004
【図４】
0005592528.tif 000005
【図５】
0005592528.tif 000006
【図６】
0005592528.tif 000007
【図７】
0005592528.tif 000008
【図８】
0005592528.tif 000009
【図９】
0005592528.tif 000010